(57)【要約】  タッチパネルは、光透過性のカバーレンズと、センサ部と、第一粘着層と、を有する。第一粘着層は、カバーレンズと、センサ部とを接着する。第一粘着層の９０℃における貯蔵弾性率は、６８ｋＰａ以上、２００ｋＰａ以下である。カバーレンズの第一粘着層と接する面を接着面とした場合に、カバーレンズの接着面における水の接触角は、０°より大きく、５９°以下である。
2017141655.tif 000002
【特許請求の範囲】
【請求項１】
光透過性のカバーレンズと、
センサ部と、
前記カバーレンズと、前記センサ部とを接着する第一粘着層と、を備え、
前記第一粘着層の９０℃における貯蔵弾性率は、６８ｋＰａ以上、２００ｋＰａ以下であり、
前記カバーレンズの前記第一粘着層と接する面を接着面とした場合に、
前記カバーレンズの前記接着面における水の接触角は、０°より大きく、５９°以下である
タッチパネル。
【請求項２】
前記第一粘着層の９０℃における貯蔵弾性率は、８０ｋＰａ以上である
請求項１に記載のタッチパネル。
【請求項３】
前記カバーレンズの前記接着面における水の接触角は、５３°以下である
請求項１に記載のタッチパネル。
【請求項４】
前記センサ部は、
前記カバーレンズと前記第一粘着層により接着される第１面と、前記第１面と反対側の第２面とを有する第一センサ層と、
第二粘着層と、
前記第一センサ層の前記第２面と前記第二粘着層により接着される第１面と、前記第１面と反対側の第２面とを有する第二センサ層と、
を有し、
前記第二粘着層の９０℃における貯蔵弾性率は、８０ｋＰａ以上、２００ｋＰａ以下である
請求項１に記載のタッチパネル。
【請求項５】
前記第一粘着層の厚みは、前記第二粘着層の厚みに対して１倍以上、２倍以下である、
請求項４記載のタッチパネル。
【請求項６】
前記第一センサ層の前記第１面は、第一電極層を有しており、
前記第二センサ層の前記第２面は、第二電極層を有しており、
前記第二粘着層の厚みは、前記第一電極層と前記第二電極層との間の距離の４０％以上、６５％未満である
請求項４記載のタッチパネル。
【請求項７】
前記第一粘着層は、前記第二粘着層よりも、温度に対する比誘電率の変化量が小さい
請求項４記載のタッチパネル。
【請求項８】
前記カバーレンズと前記第一粘着層との間に段差部をさらに備え、
前記第一粘着層の厚みは、前記段差部の厚みの３倍以上、１０倍以下である
請求項１記載のタッチパネル。
【請求項９】
前記カバーレンズの前記接着面は、電極層を有しており、
前記センサ部は、前記カバーレンズの前記接着面と接着する面の反対側に、電極層を有している
請求項１記載のタッチパネル。
【請求項１０】
前記カバーレンズは、樹脂により形成されている
請求項１記載のタッチパネル。
【請求項１１】
前記カバーレンズは、ガラスにより形成されている
請求項１記載のタッチパネル。
【発明の詳細な説明】
【技術分野】
【０００１】
本開示は、温度条件の厳しい環境下で放置あるいは使用される静電式のタッチパネル等に関する。
【背景技術】
【０００２】
以下、従来のタッチパネルについて説明する。従来のタッチパネルは、カバーレンズと、センサ部と、第一粘着層とを有している。カバーレンズとセンサ部とは、第一粘着層を介してお互いに対向して配置されている。第一粘着層は、カバーレンズとセンサ部とを接着している。【０００３】
なお、この出願に関連する先行技術文献情報として、例えば、特許文献１（第２図等）が知られている。
【先行技術文献】
【特許文献】
【０００４】
【特許文献１】特開２０１２−２３４４６７号公報
【発明の概要】
【０００５】
タッチパネルは、光透過性のカバーレンズと、センサ部と、第一粘着層と、を有する。第一粘着層は、カバーレンズと、センサ部とを接着する。第一粘着層の９０℃における貯蔵弾性率は、６８ｋＰａ以上、２００ｋＰａ以下である。カバーレンズの第一粘着層と接する面を接着面とした場合に、カバーレンズの接着面における水の接触角は、０°より大きく、５９°以下である。
【図面の簡単な説明】
【０００６】
【図１】図１は、実施の形態１におけるにおけるタッチパネルの要部拡大断面図である。
【図２】図２は、実施の形態１における電子機器の要部拡大断面図である。
【図３】図３は、実施の形態２におけるタッチパネルの要部拡大断面図である。
【発明を実施するための形態】
【０００７】
従来のタッチパネルは、高温あるいは低温で放置、あるいは使用された場合に、カバーレンズと第一粘着層との界面で、第一粘着層に気泡が発生する場合がある。さらに、カバーレンズと第一粘着層との界面で、第一粘着層の剥離が発生する場合がある。そして、気泡や剥離が発生した場合、タッチパネルに形成されている電極間の静電容量が変化し、タッチセンサの感度が低下する可能性がある。また、表示器の表示を明瞭に表示できない可能性もある。
【０００８】
以下、タッチパネルの実施形態について図面を参照して説明する。なお、実施の形態において同じ符号を付した構成要素は同様の動作を行うので、再度の説明を省略する場合がある。
【０００９】
本開示のタッチパネルを説明するに先立ち、タッチパネルを搭載した電子機器が搭載される装置ならびに、その電子機器が設置、使用される環境について説明する。
【００１０】
近年、タッチパネルを有する電子機器は、自動車などの移動体装置へ搭載されてきている。このような移動体装置は、たとえば北極圏内の極寒の地域から、赤道直下や砂漠などの灼熱の地域まで、非常に幅広い温度環境の下で使用、あるいは放置される場合がある。なお、この電子機器の例として、カーナビゲーションシステムなどが挙げられる。この場合、電子機器は、ダッシュボードに設置されている。ダッシュボードは、フロントガラスの直下に配置されている。そのため、直射日光が電子機器に当たり、電子機器の温度を上昇させる場合がある。したがって、このような電子機器に搭載されるタッチパネルは、温度条件の厳しい環境下で放置あるいは使用された場合でも、感度の劣化の抑制や、明瞭な表示を持続できる高い信頼性が要求されている。
【００１１】
なお、移動体装置は、自動車に限らず、バイク、船舶、航空機、各種農耕機器、建築機器などでも良い。また、電子機器は、カーナビゲーションシステムに限らず、タッチパネルを含んだ機器であれば良い。
【００１２】
（実施の形態１）
図１は、タッチパネル１１の要部拡大断面図である。図２は、電子機器５０１の要部拡大断面図である。タッチパネル１１は、光透過性のカバーレンズ１２と、センサ部１３と、第一粘着層１４と、を有する。第一粘着層１４は、カバーレンズ１２と、センサ部１３とを接着する。第一粘着層１４の９０℃における貯蔵弾性率は、６８ｋＰａ以上、２００ｋＰａ以下である。カバーレンズ１２の第一粘着層１４と接する面を接着面１２１とした場合に、カバーレンズ１２の接着面１２１における水の接触角は、０°より大きく、５９°以下である。
【００１３】
以下、タッチパネル１１を搭載した電子機器５０１について、詳細に説明する。電子機器５０１は、タッチパネル１１と、筐体５０１１と、表示器５０１３と、制御部５０１４とを備える（図２参照）。筐体５０１１には、表示孔５０１２が形成されている。タッチパネル１１は、前面側１１１と、背面側１１２を有している（図１参照）。そして、タッチパネル１１は、前面側１１１を表示孔５０１２に向けて、筐体５０１１の中に収納されている。表示器５０１３は、タッチパネル１１の背面側１１２に配置されている。なお、表示器５０１３の発光面が、背面側１１２と対向するように配置されている。
【００１４】
制御部５０１４は、タッチパネル１１と電気的に接続されている。この構成により、制御部５０１４は、タッチパネル１１による操作者の入力を検知できる。また、制御部５０１４は、表示器５０１３と電気的に接続されている。このため、制御部５０１４は、所望の表示を表示器５０１３へ表示できる。これらの構成により、操作者は、タッチパネル１１を通過した表示器５０１３の表示を視認できる。
【００１５】
以下、タッチパネル１１について、図１を参照しながら、説明する。タッチパネル１１は、カバーレンズ１２、センサ部１３、第一粘着層１４を有している。カバーレンズ１２は、接着面１２１を備える。また、タッチパネル１１は、前面側１１１と背面側１１２を有している。前面側１１１は、カバーレンズ１２における接着面１２１の反対側である。また、背面側１１２は、センサ部１３における第一粘着層１４の反対側である。カバーレンズ１２は、光透過性の樹脂、またはガラスによって形成されている。センサ部１３は、カバーレンズ１２と対向して配置されている。第一粘着層１４は、センサ部１３と接着面１２１との間に設けられ、センサ部１３とカバーレンズ１２とを接着している。すなわち、カバーレンズ１２は、接着面１２１で第一粘着層１４と接している。以上の構成において、第一粘着層１４の貯蔵弾性率は、９０℃において６８ｋＰａ以上、２００ｋＰａ以下である。また、接着面１２１における水の接触角は、０°より大きく、５９°以下である。
【００１６】
以上のように、９０℃における第一粘着層１４の貯蔵弾性率を６８ｋＰａ以上としているので、第一粘着層１４の流動を抑制できる。なお、第一粘着層１４の貯蔵弾性率は、８０ｋＰａ以上であることがさらに好ましい。この構成により、第一粘着層１４の流動をさらに抑制できる。したがって、カバーレンズ１２などの部材から発生するガスが、第一粘着層１４の中に溜ってできた泡の成長を抑制する。
【００１７】
そして、第一粘着層１４の貯蔵弾性率を大きくすることによる第一粘着層１４のカバーレンズ１２への密着性の低下を補うために、カバーレンズ１２の接着面１２１における水の接触角を０°より大きく、５９°以下とするのが好ましい。なお、接着面１２１における水の接触角は、５３°以下であることがさらに好ましい。この構成により、第一粘着層１４の接着面１２１への濡れ性が向上するので、第一粘着層１４が接着面１２１に対して濡れ広がりやすくなる。したがって、接着面１２１における汚染物を核として発生する気泡の発生を抑制できる。その結果、気泡の発生の抑制と成長の抑制とを両立できる。
【００１８】
また、第一粘着層１４の貯蔵弾性率を２００ｋＰａ以下としているので、第一粘着層１４のカバーレンズ１２への密着性が著しく低下することを防ぐことができる。そのため、低温下でも第一粘着層１４のカバーレンズ１２への密着性が向上し、カバーレンズ１２と第一粘着層１４との界面での第一粘着層１４の剥離の発生も抑制できる。さらに、接触角は０°よりも大きいので、第一粘着層１４がカバーレンズ１２の側面にまで回りこむことを抑制できる。
【００１９】
また、９０℃での第一粘着層１４の貯蔵弾性率を規定しているので、タッチパネル１１が、高温下で放置あるいは使用された場合でも、カバーレンズ１２との界面で、第一粘着層１４に気泡が発生することを抑制できる。
【００２０】
以上の構成により、高温、あるいは低温で放置あるいは使用された場合でも、カバーレンズ１２との界面で、第一粘着層１４の気泡の発生や剥離の発生を抑制できる。したがって、厳しい温度条件に対しても、感度の劣化の抑制や明瞭な表示を持続できる高い信頼性のタッチパネル１１が得られる。
【００２１】
以下、タッチパネル１１の具体的な構成について詳細に説明する。カバーレンズ１２は、光透過性の樹脂材料またはガラスによって形成されている。なお、カバーレンズ１２を樹脂によって形成する場合、カバーレンズ１２は、たとえばポリメチルメタクリレート（以下、ＰＭＭＡ）や、ポリカーボネート樹脂（以下、ＰＣ）などを用いることが好ましい。センサ部１３は、光透過性の樹脂材料、たとえばポリカーボネート（ＰＣ）やポリエーテルサルホン（ＰＥＳ）、あるいはポリエチレンテレフタレート（ＰＥＴ）などによって形成されている。センサ部１３は、柔軟性を有したフィルムによって形成されている。第一粘着層１４は、たとえばアクリル系ポリマー、シリコン系ポリマー、ウレタン系ポリマー、ゴム系ポリマー、エポキシ系ポリマー等あるいはこれらの混合物を主材料とする光学透明粘着剤（以下、ＯＣＡ：Ｏｐｔｉｃａｌｌｙ  Ｃｌｅａｒ  Ａｄｈｅｓｉｖｅ）を用いることが好ましい。
【００２２】
なお、カバーレンズ１２や、センサ部１３、および第一粘着層１４は、可視光の波長の光に対して、透過性を有している。可視光の波長は、一般的には３８０ｎｍから７８０ｎｍである。そして、カバーレンズ１２やセンサ部１３は、可視光全体に対して、８５％以上の透過率を有している。また、第一粘着層１４は、第一粘着層１４をガラス等の基板に貼り合わせた状態の透過率から、基板の透過率を除すと、可視光全体に対して、９５％以上の透過率を有している。なお、透過率の値は、ＪＩＳ  Ｋ７１３６の規定に基づいて測定される。透過率の値は、たとえば、村上色彩技術研究所社製のＨＭ−１５０などによって測定できる。
【００２３】
また、第一粘着層１４の貯蔵弾性率の値は、ＪＩＳＫ７２４４の規定に基づいて測定される。貯蔵弾性率の値は、たとえば、日立ハイテクサイエンス社製のＤＭＡ７１００などによって測定できる。第一粘着層１４の貯蔵弾性率は、９０℃における値である。第一粘着層１４の貯蔵弾性率の値は、温度によって変化する。一般的に温度の上昇に伴って、第一粘着層１４の貯蔵弾性率の値は小さくなる。そこで、このような高い温度環境下で使用されるタッチパネル１１における貯蔵弾性率は、９０℃で設定することが好ましい。以下、単に貯蔵弾性率と記した場合、９０℃の温度における貯蔵弾性率を表している。なお、貯蔵弾性率は、９０℃の温度において規定したが、これに限らず、タッチパネル１１の使用される環境に応じた温度における貯蔵弾性率の値を用いても良い。
【００２４】
カバーレンズ１２の接触角は、カバーレンズ１２の表面の清浄度によって決定付けられる。そこで、ＵＶオゾン処理あるいはプラズマエッチング処理などによって、カバーレンズ１２の表面を改質することによって、カバーレンズ１２の接触角を調整できる。カバーレンズ１２の接触角は、ＪＩＳ  Ｒ  ３２５７の規定に基づいて測定される。カバーレンズ１２の接触角は、水の接触角である。接触角の値は、たとえば、共和界面化学社製のＤＭ−９０１などによって測定できる。
【００２５】
ここでは、接触角によってカバーレンズ１２の濡れ性の範囲を規定している。しかし、接触角に代えて、表面張力への換算値によって濡れ性の範囲を規定しても良い。その際の換算式として、表面張力を算出する際に用いられている既知の数式を用いることができる。たとえば、カバーレンズ１２の接触角が８８°の場合、カバーレンズ１２の表面での表面張力は、２６ｍＮ／ｍに相当する。また、カバーレンズ１２の接触角が５９°の場合、カバーレンズ１２の表面での表面張力は、３０ｍＮ／ｍに相当する。さらに、カバーレンズ１２の接触角が５３°の場合、カバーレンズ１２の表面での表面張力は、４３ｍＮ／ｍに相当する。カバーレンズ１２の接触角が４０°の場合、カバーレンズ１２の表面での表面張力は、５６ｍＮ／ｍに相当する。
【００２６】
発明者らは、カバーレンズ１２の材質と、接触角や第一粘着層１４の貯蔵弾性率の範囲と、気泡や剥離の発生を確認するために、表１に示すサンプル１〜１０を作製した。なお、サンプル３、４、５と、サンプル７、８、９のカバーレンズ１２は、表面の改質処理によって、接触角を調整している。言い換えれば、サンプル１と、サンプル２と、サンプル６と、サンプル１０におけるカバーレンズ１２は、表面の改質処理を行なっていない。
【００２７】
【表１】
2017141655.tif 000003
【００２８】
サンプル１〜１０を９５℃の環境下で５００時間放置した後、さらに７２時間放置後と、１２０時間放置後の気泡や剥離の発生を評価した。表１において、○は、気泡や剥離が発生しなかった場合を示している。×は、気泡や剥離が発生した場合を示している。△は、場合により、気泡や剥離が発生する場合を示している。７２時間放置の後では、サンプル１の全面に、直径約２センチメートルの気泡や剥離が発生していた。１２０時間放置の後では、サンプル２の段差部１５沿いに、気泡が発生する場合があった。なお、段差部１５については、後述する。また、１２０時間放置の後では、サンプル３の段差部１５沿いに約０．６ミリメートルの気泡が発生していた。なお、サンプル３で発生した気泡の直径は、５００時間経過の後でも大きく成長していなかった。そして、上記以外の全てのサンプル（すなわちサンプル４〜１０）は、５００時間を経過後でも、気泡の発生や剥離などの発生していなかった。
【００２９】
以上の結果、カバーレンズ１２の接触角を５３°以下とし、第一粘着層１４の貯蔵弾性率を６８ｋＰａ以上とすることで、高温下に長期間放置されても気泡や剥離の発生を抑制できた。また、サンプル３に示すように、カバーレンズ１２の接触角を５３°より大きく、５９°とし、かつ第一粘着層１４の貯蔵弾性率を６８ｋＰａとしても、接触角が８８°の場合（サンプル１）よりは、気泡の発生や剥離などの発生が改善された。また、サンプル１とサンプル２とを比較すると、９０℃における第一粘着層１４の貯蔵弾性率を６８ｋＰａよりも８０ｋＰａにした方が、気泡の発生を抑えられるのがわかる。
【００３０】
さらにセンサ部１３は、第一センサ層１３１、第二センサ層１３２、第二粘着層１３３を有していてもよい。第一センサ層１３１は、第一粘着層１４によりカバーレンズ１２と接着される第１面３０１と、第１面３０１と反対側の第２面３０３とを有する。第二センサ層１３２は、第一センサ層１３１の第２面３０３と、第二粘着層１３３により接着される第１面４０１と、第１面と反対側の第２面４０３とを有する。すなわち、第二粘着層１３３は、第一センサ層１３１と第二センサ層１３２とを接着している。なお、第二粘着層１３３の貯蔵弾性率は、８０ｋＰａ以上、２００ｋＰａ以下である。第二粘着層１３３の貯蔵弾性率を８０ｋＰａ以上とすることにより、第二粘着層１３３の流動が抑制される。したがって、第二粘着層１３３の中に溜ったガスによってできる気泡の成長を抑制できる。第二粘着層１３３としては、たとえば主にアクリル系ポリマーから成るＯＣＡが用いられる。
【００３１】
また、第二粘着層１３３の貯蔵弾性率を２００ｋＰａ以下としているので、第二粘着層１３３の第一センサ層１３１への密着性や、第二粘着層１３３の第二センサ層１３２への密着性が著しく低下することを防ぐことができる。したがって低温下でも第二粘着層１３３と第一センサ層１３１や第二センサ層１３２との密着性が向上する。その結果、第一センサ層１３１と第二粘着層１３３の界面や、第二センサ層１３２と第二粘着層１３３の界面での第二粘着層１３３の剥離の発生も抑制できる。
【００３２】
第一センサ層１３１は、第一電極層１３１１を有していてもよい。第二センサ層１３２は、第二電極層１３２１を有していてもよい。なお、第二電極層１３２１は、第一電極層１３１１から離れて配置されている。この状態において、第二粘着層１３３の厚みは、第一電極層１３１１と第二電極層１３２１との間の距離に対して、４０％以上、６５％未満であることが好ましい。なお、第二粘着層１３３の厚みは、たとえば１００マイクロメートルである。一方、第一電極層１３１１と第二電極層１３２１との間の距離は、たとえば２２５マイクロメートルである。この構成により、タッチパネル１１の急激な温度変化に対しても、第一電極層１３１１と第二電極層１３２１との温度差を小さくできる。したがって、急激な温度変化に対しての第一電極層１３１１と第二電極層１３２１との間の静電容量の変化に対しての第二粘着層１３３の寄与度を小さくできる。そのため、急激に温度が変化したような場合でも、タッチパネル１１の感度の変化を小さくできる。したがって、タッチパネル１１の誤検知の発生を抑制できる。
【００３３】
さらに、第一粘着層１４の厚みは、第二粘着層１３３の厚みに対して１倍以上、２倍以下であることが好ましい。この構成により、タッチパネルのカバーレンズへの十分な密着性と、タッチパネルの検出感度の高さを両立できる。
【００３４】
第一粘着層１４は、第二粘着層１３３よりも、温度に対する比誘電率の変化量が小さいことが好ましい。この構成により、タッチパネル１１の温度が急激に変化した場合に、第一電極層１３１１と第二電極層１３２１との間の静電容量の変化に対しての第二粘着層１３３の寄与度を小さくできる。したがって、タッチパネル１１の温度が急激に変化したような場合でも、タッチパネル１１の感度の変化を小さくできる。したがって、タッチパネル１１の誤検知の発生を抑制できる。
【００３５】
タッチパネル１１は、段差部１５を有していても良い。段差部１５は、たとえばカバーレンズ１２に設けられた加飾部である。加飾部は、カバーレンズ１２の外周部に形成されている。段差部１５は、カバーレンズ１２と、第一粘着層１４との間に形成されている。すなわち、第一粘着層１４は、段差部１５とセンサ部１３との間にも充填されている。このような場合、第一粘着層１４の厚みは、段差部１５の厚みの３倍以上、１０倍以下であることが好ましい。
【００３６】
第一粘着層１４の厚みが、段差部１５の高さの３倍未満の場合、第一粘着層１４は段差の形状に追従しにくくなる。したがって、段差部１５の箇所に気泡や剥離が発生しやすくなる。第一粘着層１４の厚みを段差部１５の高さの３倍以上にすることにより、段差部１５での気泡や剥離の発生を抑制できる。また、第一粘着層１４の厚みが、段差部１５の高さの１０倍を超える場合、カバーレンズ１２と第一粘着層１４の線膨張係数の差によって、第一粘着層１４がカバーレンズ１２から剥離しやすくなる。また、図２に示すカバーレンズ１２における前面側１１１の面から第一電極層１３１１や第二電極層１３２１までの距離が長くなる。したがって、操作時の静電容量の変化が小さくなり、タッチパネル１１の検出感度が悪くなる。第一粘着層１４の厚みを段差部１５の高さの１０倍以下とすることにより、タッチパネル１１の検出感度が向上する。
【００３７】
（実施の形態２）
以下、他のタッチパネル２１について、図面を参照しながら、説明する。図３は、実施の形態２におけるタッチパネル２１の要部拡大断面図である。タッチパネル２１は、図１に示すタッチパネル１１のカバーレンズ１２に代えて、カバーレンズ２２を有している。また、タッチパネル２１は、図１に示すタッチパネル１１のセンサ部１３に代えて、センサ部２３を有している。第一電極層２２１は、カバーレンズ２２に形成されている。第二電極層２３１は、センサ部２３に形成されている。そして、カバーレンズ２２とセンサ部２３は、第一粘着層１４によって接着されている。すなわち、カバーレンズ２２の接着面１２１は、第一電極層２２１を有しており、接着面１２１の第一電極層２２１における水の接触角は、０°より大きく、５９°以下である。また、第一粘着層１４の貯蔵弾性率は、９０℃において、６８ｋＰａ以上、２００ｋＰａ以下である。なお、図２の電子機器５０１において、タッチパネル１１に代えて、タッチパネル２１を用いても良い。
【００３８】
以上のように、本開示のタッチパネルは、接着面を有し、光透過性の樹脂、またはガラスによって形成されたカバーレンズと、カバーレンズと対向して配置されたセンサ部と、センサ部と接着面とを接着する第一粘着層とを備えている。そして、タッチパネルの第一粘着層は、９０℃において６８ｋＰａ以上、２００ｋＰａ以下の貯蔵弾性率であり、接着面における水の接触角は、０°より大きく、５９°以下である。
【００３９】
かかる構成により、第一粘着層の貯蔵弾性率を大きくしているので、第一粘着層の流動を抑制できる。したがって、カバーレンズなどの部材から発生するガスが、第一粘着層の中に溜ってできる気泡の成長を抑制する。そして、第一粘着層の貯蔵弾性率を大きくすることによる第一粘着層のカバーレンズへの密着性の低下を補うために、接触角を０°より大きく、５９°以下としている。この構成により、第一粘着層の接着面１２１への濡れ性が向上するので、第一粘着層が接着面１２１に対して濡れ広がりやすくなる。したがって、接着面１２１の汚染などに起因して、接着面１２１の汚染物を核として発生する気泡の発生を抑制できる。その結果、気泡の発生の抑制と成長の抑制とを両立できる。また、第一粘着層の貯蔵弾性率を２００ｋＰａ以下としているので、第一粘着層のカバーレンズへの密着性が著しく低下することを防ぐことができる。したがって、第一粘着層のカバーレンズへの密着性が向上し、カバーレンズと第一粘着層との界面での第一粘着層の剥離の発生も抑制できる。
【００４０】
また、第一粘着層の貯蔵弾性率は、９０℃において８０ｋＰａ以上であるのが好ましい。
【００４１】
かかる構成により、第一粘着層の流動をさらに抑制できる。したがって、第一粘着層の中に溜ったガスによってできる気泡の成長をさらに抑制できる。
【００４２】
また、センサ部は、第一センサ層と、第二センサ層と、第一センサ層を第二センサ層へ接着する第二粘着層と、を備えていてもよい。第二粘着層は、９０℃において８０ｋＰａ以上、２００ｋＰａ以下の貯蔵弾性率であるのが好ましい。
【００４３】
かかる構成により、第二粘着層の流動を抑制できる。したがって、第二粘着層の中に溜ったガスによってできる気泡の成長を抑制できる。また、第二粘着層の貯蔵弾性率を２００ｋＰａ以下としているので、第二粘着層の第一センサ層への密着性や、第二粘着層の第二センサ層への密着性が著しく低下することを防げる。したがって、第一センサ層と第二センサ層との密着性が向上し、第一センサ層と第二粘着層の界面や、第二センサ層と第二粘着層の界面での第二粘着層の剥離の発生も抑制できる。
【００４４】
また、第一粘着層は、第二粘着層の厚みに対して１倍以上、２倍以下の厚みであるのが好ましい。
【００４５】
かかる構成により、センサ部のカバーレンズへの十分な密着性と、タッチパネルの検出感度の高さを両立できる。
【００４６】
また、タッチパネルは、第一センサ層に設けられた第一電極層と、第二センサ層に設けられ、第一電極層から離れて配置された第二電極層と、を有し、第二粘着層の厚みは、第一電極層と第二電極層との距離に対して４０％以上、６５％未満であるのが好ましい。
【００４７】
かかる構成により、第一電極層と第二電極層の間の体積に占める第二粘着層の比率が制限される。これは、タッチパネルを構成する部材の中で、温度変化に対する比誘電率の変化が最も大きい部材は粘着層であることを考慮したもので、第一電極層と第二電極層との間にある誘電体に占める第二粘着層の比率を下げることを目的とする。この構成により、急激な温度変化に対しての第一電極層と第二電極層との間の静電容量の変化に対しての第二粘着層の寄与度を小さくできる。したがって、急激に温度が変化したような場合でも、タッチセンサの感度の変化を小さくできる。そのため、タッチパネルの誤検知の発生を抑制できる。
【００４８】
また、第一粘着層の温度に対する比誘電率の変化量は、第二粘着層よりも小さい。
【００４９】
かかる構成により、急激な温度変化に対しての第一電極層と第二電極層との間の静電容量の変化に対しての第二粘着層の寄与度を小さくできる。したがって、急激に温度が変化したような場合でも、タッチパネルの感度の変化を小さくできる。そのため、タッチセンサの誤検知の発生を抑制できる。
【００５０】
また、タッチパネルは、カバーレンズおよび第一粘着層の間に段差部をさらに備えていてもよい。そして、第一粘着層の厚みは、段差部の厚みの３倍以上、１０倍以下であるのが好ましい。
【００５１】
かかる構成により、段差の部分で気泡や剥離が発生することを抑制できる。第一粘着層の厚みが、段差の高さの１０倍を超える場合、カバーレンズと第一粘着層の線膨張係数の差によって、第一粘着層がカバーレンズから剥離しやすくなるが、本開示のタッチパネルは剥離を防ぐことができる。またタッチパネルの検出感度は優れている。
【００５２】
以上のように、本開示のタッチパネルによれば、第一粘着層の貯蔵弾性率を大きくしているので、第一粘着層の流動を抑制できる。したがって、カバーレンズなどの部材から発生するガスが、第一粘着層の中に溜ってできる気泡の成長を抑制できる。そして、第一粘着層の貯蔵弾性率を大きくすることによる第一粘着層のカバーレンズへの密着性の低下を補うために、接触角を０°より大きく、５９°以下とする。この構成により、第一粘着層の接着面１２１への濡れ性が向上するので、第一粘着層が接着面１２１に対して濡れ広がりやすくなる。
【００５３】
したがって、接着面１２１の汚染などに起因して、接着面１２１における汚染物を核として発生する気泡の発生を抑制できる。その結果、気泡の発生の抑制と成長の抑制とを両立できる。
【００５４】
また、第一粘着層の貯蔵弾性率を２００ｋＰａ以下としているので、第一粘着層のカバーレンズへの密着性が著しく低下することを防ぐことができる。したがって、第一粘着層のカバーレンズへの密着性が向上し、カバーレンズと第一粘着層との界面での第一粘着層の剥離の発生も抑制できる。
【００５５】
以上の構成により、タッチパネルが、高温、あるいは低温で放置あるいは使用された場合でも、カバーレンズと第一粘着層との界面で、第一粘着層に気泡が発生することを抑制できる。さらに、高温、あるいは低温で放置あるいは使用された場合でも、カバーレンズと第一粘着層との界面で、第一粘着層が剥離することを抑制できる。その結果、厳しい温度条件に対しても、感度の劣化の抑制や明瞭な表示を持続できる高い信頼性のタッチパネルを得ることができる。
【００５６】
尚、本発明は、以上の実施の形態に限定されることなく、種々の変更が可能であり、それらも本発明の範囲内に包含されるものであることは言うまでもない。
【産業上の利用可能性】
【００５７】
以上のように、本開示にかかるタッチパネルは、厳しい温度条件に対しても、感度の劣化の抑制や、明瞭な表示を持続できるという効果を有し、移動体装置などに搭載される電子機器等に有用である。
【符号の説明】
【００５８】
１１，２１  タッチパネル
１２，２２  カバーレンズ
１３，２３  センサ部
１４  第一粘着層
１５  段差部
１１１  前面側
１１２  背面側
１２１  接着面
１３１  第一センサ層
１３２  第二センサ層
１３３  第二粘着層
２２１，１３１１  第一電極層
２３１，１３２１  第二電極層
３０１，４０１  第１面
３０３，４０３  第２面
５０１  電子機器
５０１１  筐体
５０１２  表示孔
５０１３  表示器
５０１４  制御部
【図１】
2017141655.tif 000004
【図２】
2017141655.tif 000005
【図３】
2017141655.tif 000006
【国際調査報告】
2017141655.tif 000007
2017141655.tif 000008
2017141655.tif 000009
2017141655.tif 000010